(57)【要約】【課題】  エンジンオイルフィルタの脱着作業が便利になり、省力化を図ることもできるエンジンオイルフィルタ用脱着構造を提供する。【解決手段】  エンジンオイルフィルタに嵌合することができるスリーブ本体を有するエンジンオイルフィルタ用脱着構造において、前記スリーブ本体のキャップ１１の内端面１２の中央にある窪み部、又は前記キャップ１１の内端面１２の他の適当な箇所に一つ又は複数の磁石２が設けてあることにより、前記スリーブ本体の内端面１２と前記磁石２とが互いに吸着し結合する状態になり、前記磁石２の磁力によりエンジンオイルフィルタが前記スリーブ本体に吸着され、エンジンオイルフィルタと前記スリーブ本体とが互いに強固に吸着し結合することを特徴とするエンジンオイルフィルタ用脱着構造。【選択図】  図４
0003109239.tif 000002
【実用新案登録請求の範囲】
【請求項１】
エンジンオイルフィルタに嵌合可能なスリーブ本体を有するエンジンオイルフィルタ用脱着構成において、
前記スリーブ本体のキャップの内端面の中央にある窪み部、又は前記キャップの内端面の他の適当な箇所に一つ又は複数の磁石が設けられていることにより、前記スリーブ本体の内端面と前記磁石とが互いに吸着し結合する状態になり、前記磁石の磁力によりエンジンオイルフィルタが前記スリーブ本体に吸着され、エンジンオイルフィルタと前記スリーブ本体とが互いに強固に吸着し結合することを特徴とするエンジンオイルフィルタ用脱着構造。
【請求項２】
一つ又は複数の前記磁石は、何れかの異なる形状のスリーブ本体のキャップの内端面に設置可能であることを特徴とする請求項１に記載のエンジンオイルフィルタ用脱着構造。
【考案の詳細な説明】
【技術分野】
【０００１】
本考案はエンジンオイルフィルタ用脱着構造に関するものである。
【背景技術】
【０００２】
従来のエンジンオイルフィルタを更新するときに使用される工具は入手し難しく操作が極めて不便であるので、本考案の出願者は図１に示すような台湾実用新案第３０６６８２９号を提案したものである。すなわち、エンジンオイルフィルタの末端に合うスリーブ構造を開発した。これは、スリーブ本体をエンジンオイルフィルタに嵌めた後、何れの工具を利用しても、エンジンオイルフィルタを容易に脱着することができるので、極めて便利である。
【考案の開示】
【考案が解決しようとする課題】
【０００３】
しかしながら、エンジンオイルフィルタを取り外すときには、エンジンオイルフィルタの温度が高いので、工具でエンジンオイルフィルタを取り外した瞬間に油断すると、エンジンオイルフィルタがスリーブ本体から離脱して落下し、オイルが作業現場を汚染することがよくあった。
【課題を解決するための手段】
【０００４】
上記欠点を解決するためになされた本考案は、エンジンオイルフィルタに嵌合することができるスリーブ本体を有するエンジンオイルフィルタ用脱着構造において、前記スリーブ本体のキャップの内端面の中央にある窪み部、又は前記キャップの内端面の他の適当な箇所に一つ又は複数の磁石が設けられていることにより、前記スリーブ本体の内端面と前記磁石とが互いに吸着し結合する状態になり、前記磁石の磁力によりエンジンオイルフィルタが前記スリーブ本体に吸着され、エンジンオイルフィルタと前記スリーブ本体とが互いに強固に吸着し結合することを特徴とするエンジンオイルフィルタ用脱着構造であることを要旨としている。
【０００５】
本考案では、一つ又は複数の前記磁石は、何れかの異なる形状のスリーブ本体のキャップの内端面に設置可能である。
【考案の効果】
【０００６】
本考案に係るエンジンオイルフィルタ用脱着構造によれば、エンジンオイルフィルタの脱着作業が便利になり、省力化を図ることもできる。
【考案を実施するための最良の形態】
【０００７】
以下、添付図面を参照して本考案の好適な実施例を詳細に説明する。
まず、図２から図５を参照する。図２は本考案に係る実施例のエンジンオイルフィルタ用脱着構造を示す側面図であり、図３は本考案に係る実施例のエンジンオイルフィルタ用脱着構造を示す断面図であり、図４は本考案に係る実施例のエンジンオイルフィルタ用脱着構造の組合状態を示す断面図であり、図５は本考案に係る実施例のエンジンオイルフィルタ用脱着構造を示す下面図である。本考案に係る実施例のエンジンオイルフィルタ用脱着構造は、エンジンオイルフィルタに嵌合することができるスリーブ本体１を有し、前記スリーブ本体１のキャップ１１の内端面１２の中央にある窪み部１３、又は前記キャップ１１の内端面１２の他の適当な箇所に一つ又は複数の磁石２が設けてあることにより、前記スリーブ本体１の内端面１２と前記磁石２とが互いに吸着し結合する状態になる構成である。
【０００８】
また、図６と図７を参照する。図６は本考案に係る実施例のエンジンオイルフィルタ用脱着構造にエンジンオイルフィルタを嵌めた状態を示す断面図であり、図７は本考案に係る実施例のエンジンオイルフィルタ用脱着構造にエンジンオイルフィルタを嵌めた状態を示す斜視図である。エンジンオイルフィルタ３を取り外そうとするときには、スリーブ本体１をエンジンオイルフィルタ３の末端に嵌め、このとき、前記スリーブ本体１のキャップ１１の内端面１２の中央にある窪み部１３に設置された一つ又は複数の磁石２で発生する磁力で前記エンジンオイルフィルタ３の末端を吸着することにより、前記エンジンオイルフィルタ３が前記スリーブ本体１に強固に結合する状態になる。各種類の工具により前記スリーブ本体１を旋回させて高温な前記エンジンオイルフィルタ３を取り外す瞬間には、前記エンジンオイルフィルタ３が前記スリーブ本体１から容易に離脱して落下することがないので、オイルが作業現場を汚染することはあり得ない。
【０００９】
また、エンジンオイルフィルタ３を装着しようとするときは、スリーブ本体１とエンジンオイルフィルタ３とが強固に結合する状態になるので、前記スリーブ本体１を旋回するときに省力化を図ることもできる。
このように、本考案が、特定の実施例を参照して説明されたが、それらの実施例は、説明のためだけのものであり、本発明を限定するものではなく、この分野の通常の知識を有する者には、本考案の精神および範囲を逸脱することなく、ここで開示された実施例に変更、追加、または、削除を施してもよいことがわかる。
【図面の簡単な説明】
【００１０】
【図１】エンジンオイルフィルタの末端に合う従来のスリーブ構造を切断した状態を示す斜視図である。
【図２】本考案に係る実施例のエンジンオイルフィルタ用脱着構造を示す側面図である。
【図３】本考案に係る実施例のエンジンオイルフィルタ用脱着構造を示す断面図である。
【図４】本考案に係る実施例のエンジンオイルフィルタ用脱着構造の組合状態を示す断面図である。
【図５】本考案に係る実施例のエンジンオイルフィルタ用脱着構造を示す下面図である。
【図６】本考案に係る実施例のエンジンオイルフィルタ用脱着構造にエンジンオイルフィルタを嵌めた状態を示す断面図である。
【図７】本考案に係る実施例のエンジンオイルフィルタ用脱着構造にエンジンオイルフィルタを嵌めた状態を示す側面図である。
【符号の説明】
【００１１】
１  スリーブ本体、２  磁石、３  エンジンオイルフィルタ、１１  キャップ、１２  内端面、１３  窪み部
【図１】
0003109239.tif 000003
【図２】
0003109239.tif 000004
【図３】
0003109239.tif 000005
【図４】
0003109239.tif 000006
【図５】
0003109239.tif 000007
【図６】
0003109239.tif 000008
【図７】
0003109239.tif 000009